(57)【要約】【課題】収容スペースを削減するとともに、スイッチ釦の誤装着を防止する。【解決手段】操作パネル部３０に設けた複数の取付孔３１ａ〜３１ｅに、別体のスイッチ釦３５ａ〜３５ｅを取り付ける構造であって、取付孔３１ａ〜３１ｅおよびスイッチ釦３５ａ〜３５ｅの一方に、スイッチ釦３５ａ〜３５ｅの取付方向に沿って延びるガイド凸部４１を設けるとともに、他方にガイド凹部３３を設ける。そして、これらガイド凸部４１およびガイド凹部３３の形成位置、数、幅などを取付孔３１ａ〜３１ｅおよびスイッチ釦３５ａ〜３５ｅで異なるように設ける。【選択図】図５
2007317396.tif 000002
【特許請求の範囲】
【請求項１】
外装体の操作パネル部に設けた複数の取付孔に、別体のスイッチ釦をそれぞれ取り付ける構造であって、
前記取付孔およびスイッチ釦の一方に、スイッチ釦の取付方向に沿って延びる２以上のガイド凸部を設けるとともに、他方に前記ガイド凸部が嵌合するガイド凹部をそれぞれ設け、隣接するガイド凸部とガイド凹部との間隔および数の少なくとも一方を、複数の取付孔およびスイッチ釦で異なるように設けたことを特徴とする家庭用電気製品のスイッチ釦取付構造。
【請求項２】
外装体の操作パネル部に設けた複数の取付孔に、表面に機能表示を設けた別体のスイッチ釦をそれぞれ取り付ける構造であって、
前記取付孔およびスイッチ釦の一方に、スイッチ釦の取付方向に沿って延びるガイド凸部を設けるとともに、他方に前記ガイド凸部が嵌合するガイド凹部を設け、これらガイド凸部とガイド凹部とを、前記機能表示に基づく取付方向を基準として複数の取付孔およびスイッチ釦でそれぞれ異なる位置に設けたことを特徴とする家庭用電気製品のスイッチ釦取付構造。
【請求項３】
外装体の操作パネル部に設けた複数の取付孔に、別体のスイッチ釦をそれぞれ取り付ける構造であって、
前記取付孔およびスイッチ釦の一方に、スイッチ釦の取付方向に沿って延びるガイド凸部を設けるとともに、他方に前記ガイド凸部が嵌合するガイド凹部を設け、これらガイド凸部とガイド凹部との幅を、複数の取付孔およびスイッチ釦で異なるように設けたことを特徴とする家庭用電気製品のスイッチ釦取付構造。
【請求項４】
前記スイッチ釦において、前記操作パネル部の表面側に位置する端部に、外方に突出するフランジ部を設けるとともに、他方の端部に、前記取付孔の内端縁に係止する係止爪を設けたことを特徴とする請求項１乃至請求項３のいずれか１項に記載の家庭用電気製品のスイッチ釦取付構造。
【発明の詳細な説明】
【技術分野】
【０００１】
本発明は、家庭用電気製品のスイッチ釦取付構造に関するものである。
【背景技術】
【０００２】
本発明の家庭用電気製品のスイッチ釦取付構造に関連する先行技術文献情報としては次のものがある。
【０００３】
【特許文献１】特開２００６−２５８６３号公報
【０００４】
この特許文献１には、家庭用電気製品の１つである炊飯器が記載されている。この炊飯器は、炊飯器本体の外装体を構成する肩体に操作パネル部が設けられている。この操作パネル部には、別体のスイッチ釦を取り付けるための複数の取付孔が設けられ。これら取付孔の内側からスイッチ釦が配設されている。また、スイッチ釦の背部には、スペーサが配設され、このスペーサを介してスイッチ基板に実装したスイッチをオン、オフする構成としている。
【０００５】
しかしながら、前記構成では、同形状のスイッチ釦を腕部によって連続させて一体成形し、操作パネル部の背部（内側）から取り付ける構成としているため、操作パネル部の内部には腕部を収容するためのスペースを確保する必要があり、操作パネル部が大型化するという問題がある。
【０００６】
この問題を防止するには、各スイッチ釦を連続することなく、個別に形成することが考えられる。しかし、同形状をなす複数のスイッチ釦を複数の取付孔に装着する場合には、誤装着の可能性が発生する。この誤装着の問題は、特定のスイッチ釦と取付孔とが対をなる場合に生じる。この場合とは、例えば、スイッチ釦の表面に機能表示を設けている場合や、操作パネル部の湾曲形状によりスイッチ基板のスイッチまでの距離が異なる場合などがある。
【発明の開示】
【発明が解決しようとする課題】
【０００７】
本発明は、従来の問題に鑑みてなされたもので、操作パネル部の背部での収容スペースを削減するとともに、個別に設けたスイッチ釦の誤装着を確実に防止できる取付構造を提供することを課題とするものである。
【課題を解決するための手段】
【０００８】
前記課題を解決するため、本発明の第１の家庭用電気製品のスイッチ釦取付構造は、外装体の操作パネル部に設けた複数の取付孔に、別体のスイッチ釦をそれぞれ取り付ける構造であって、前記取付孔およびスイッチ釦の一方に、スイッチ釦の取付方向に沿って延びる２以上のガイド凸部を設けるとともに、他方に前記ガイド凸部が嵌合するガイド凹部をそれぞれ設け、隣接するガイド凸部とガイド凹部との間隔および数の少なくとも一方を、複数の取付孔およびスイッチ釦で異なるように設けた構成としている。
【０００９】
この第１の取付構造によれば、スイッチ釦の取付位置が異なる場合には、少なくとも１つのガイド凸部がガイド凹部に嵌らないため、取り付けることができない。そのため、作業者は取付位置が異なっていると判断できるため、誤装着を未然に防止できる。
【００１０】
また、第２の取付構造は、外装体の操作パネル部に設けた複数の取付孔に、表面に機能表示を設けた別体のスイッチ釦をそれぞれ取り付ける構造であって、前記取付孔およびスイッチ釦の一方に、スイッチ釦の取付方向に沿って延びるガイド凸部を設けるとともに、他方に前記ガイド凸部が嵌合するガイド凹部を設け、これらガイド凸部とガイド凹部とを、前記機能表示に基づく取付方向を基準として複数の取付孔およびスイッチ釦でそれぞれ異なる位置に設けた構成としている。
【００１１】
この第２の取付構造によれば、機能表示を規定の取付方向で装着する際に、スイッチ釦の取付位置が異なる場合にはガイド凸部がガイド凹部に嵌らないため、取り付けることができない。そのため、作業者は取付位置が異なっていると判断できるため、誤装着を未然に防止できる。
【００１２】
さらに、第３の取付構造は、外装体の操作パネル部に設けた複数の取付孔に、別体のスイッチ釦をそれぞれ取り付ける構造であって、前記取付孔およびスイッチ釦の一方に、スイッチ釦の取付方向に沿って延びるガイド凸部を設けるとともに、他方に前記ガイド凸部が嵌合するガイド凹部を設け、これらガイド凸部とガイド凹部との幅を、複数の取付孔およびスイッチ釦で異なるように設けた構成としている。
【００１３】
この第３の取付構造によれば、スイッチ釦の取付位置が異なる場合には、ガイド凸部がとガイド凹部との幅寸法が異なるため、嵌らないか、隙間によるガタが生じる。そのため、作業者は取付位置が異なっていると判断できるため、誤装着を未然に防止できる。
【００１４】
これら取付構造では、前記スイッチ釦において、前記操作パネル部の表面側に位置する端部に、外方に突出するフランジ部を設けるとともに、他方の端部に、前記取付孔の内端縁に係止する係止爪を設けることが好ましい。
【発明の効果】
【００１５】
本発明のスイッチ釦取付構造では、複数の取付孔に対してそれぞれ別体のスイッチ釦を取り付けるため、操作パネル部背部の収容スペースを削減できる。しかも、スイッチ釦を異なる取付位置に装着しようとした場合には、その状況を作業者が簡単に判断できるため、誤装着を確実に防止できる。また、スイッチ釦の表面側にフランジ部を設け、操作パネル部の外側から装着する構成としているため、組立作業性を向上できる。しかも、表面に機能表示を設けている場合には、その方向性を容易に判断できるため、更に作業性を向上できる。
【発明を実施するための最良の形態】
【００１６】
以下、本発明の実施の形態を図面に従って説明する。
【００１７】
図１および図２は、本発明の実施形態に係るスイッチ釦取付構造を適用した家庭用電気製品である炊飯器１０を示す。この炊飯器１０は、炊飯鍋１１を着脱可能に収容する炊飯器本体１２と、該炊飯器本体１２の上端開口を閉塞する蓋体５１とを備え、炊飯器本体１２の正面上側に操作パネル部３０を設けたものである。
【００１８】
前記炊飯器本体１２は、図２に詳細に示すように、鏡面仕上げを施した金属（ステンレス）製の筒体からなる胴体１３と、該胴体１３の上端開口に配設した円環状の肩体１６と、胴体１３の底に配設した底体２０とを有する外装体を備えている。
【００１９】
前記胴体１３は、金属板を絞り加工により下部の直径を徐々に小さくした略円筒形状のものである。この胴体１３の上端縁には、肩体１６を固定するために、水平方向外向きに突出するフランジ部１４が設けられている。また、胴体１３の下端縁には、底体２０と基板ホルダー２５とを固定するための底部１５が水平方向内向きに突出するように設けられている。
【００２０】
前記肩体１６は、胴体１３のフランジ部１４に対して固着される樹脂製のものである。この肩体１６は、その中央に炊飯鍋１１を着脱可能に装着するための開口部１７が設けられている。また、肩体１６の背面側には、後述する蓋体５１を開閉可能に軸着するためのヒンジ接続部１８が設けられている。さらに、肩体１６の正面側には、蓋体５１を開放不可能にロックするためのロック爪部１９が設けられている。本実施形態では、この肩体１６は胴体１３より外方に突出するように形成され、その突出部分正面側に、後述する操作パネル部３０が設けられている。
【００２１】
前記底体２０は、胴体１３の下部に配設される受皿形状をなす樹脂製のもので、その底には略球状に突出する脚部２１が周方向に等間隔でもって設けられている。
【００２２】
前記胴体１３、肩体１６および底体２０からなる外装体の内部には、炊飯鍋１１を着脱可能に収容するための金属製の内胴２２が配設されている。この内胴２２は、肩体１６の開口部１７の下端から下向きに延びる上端開口で下端閉鎖の筒状のもので、その底の中央には、加熱ヒータを配設した略椀状の加熱板（図示せず）および炊飯鍋１１の温度を検出する温度センサ（図示せず）を配設する凹部２３が設けられている。
【００２３】
また、外装体において内胴２２の下部の略中央には制御基板２４を配設するための樹脂製の基板ホルダー２５が配設されている。この基板ホルダー２５は、平面視矩形状をなす仕切壁２６と、該仕切壁２６の外周縁から上下方向に突出するように設けた外周壁２７とを備え、仕切壁２６の上側を水受部２８とし、仕切壁２６の下側を基板配設部２９としている。なお、この基板ホルダー２５には、水受部２８内から基板配設部２９の下側まで延びる排水路（図示せず）が更に設けられている。
【００２４】
前記肩体１６に形成する操作パネル部３０は、図１から図３に示すように、該肩体１６に設けた取付孔３１ａ〜３１ｅと、これら取付孔３１ａ〜３１ｅにそれぞれ装着するスイッチ釦３５ａ〜３５ｅとを備え、これらスイッチ釦３５ａ〜３５ｅの背部（内部）にスペーサセット４３およびスイッチ基板４９を配設したものである。
【００２５】
前記取付孔３１ａ〜３１ｅは、図３および図４（Ａ）に示すように、平面視円形状のもので、その内部には環状に突出するリブ３２が設けられている。このリブ３２には、後述するスイッチ釦３５ａ〜３５ｅの取付方向（＝操作方向）に沿って延びる溝からなるガイド凹部３３が設けられている。また、本実施形態では、肩体１６の中心を基点とした径方向外側端に位置するように、上向きに突出する支持部３４が設けられている。
【００２６】
前記スイッチ釦３５ａ〜３５ｅは、図４（Ｂ），（Ｃ）および図５に示すように、前記リブ３２内に挿通される外径の円環状の筒部３６を備え、操作パネル部３０の表面側に位置する端部には、外方に突出するように円板状をなすフランジ部３７を設けたものである。このフランジ部３７には、そのスイッチ５０の機能を意味する文字からなる機能表示３８ａ〜３８ｅが設けられている。また、筒部３６には、フランジ部３７の基部から先端まで軸方向に沿って延びる一対のスリットを設けることにより、これらスリットの間に弾性片３９を対向位置に一対設けている。これら弾性片３９の先端には、外方に突出する係止爪４０が設けられている。この係止爪４０は、取付孔３１ａ〜３１ｅの内端縁であるリブ３２の下面に係止するもので、フランジ部３７との間の隙間は、前記取付孔３１ａ〜３１ｅのリブ３２の下面から支持部３４の上面までの寸法と略一致している。さらに、筒部３６には、各取付孔３１ａ〜３１ｅのガイド凹部３３に対応するガイド凸部４１が取付方向に沿って延びるように設けられている。さらにまた、筒部３６の先端面には、前記支持部３４と径方向反対側に位置するように突出部４２が設けられている。
【００２７】
なお、前記スイッチ釦３５ａは、保温機能を実行するためのもので、「KEEP WARM」という機能表示３８ａが設けられている。スイッチ釦３５ｂは、機能および設定の取消操作を行うもので、「RESET」という機能表示３８ｂが設けられている。スイッチ釦３５ｃは、炊飯機能を実行するためのもので、「RICE SUSHI」という機能表示３８ｃが設けられている。スイッチ釦３５ｄは、おかゆのような水分が多い炊飯機能を実行するためのもので、「RISOTTO」という機能表示３８ｄが設けられている。スイッチ釦３５ｅは、蒸し機能能を実行するためのもので、「STEAM COOK」という機能表示３８ｅが設けられている。
【００２８】
第１実施形態では、図４（Ａ），（Ｃ）に示すように、取付孔３１ａ〜３１ｅおよびスイッチ釦３５ａ〜３５ｅの挿入部分を同一直径の平面視円形状としている。そのため、各取付孔３１ａ〜３１ｅおよびスイッチ釦３５ａ〜３５ｅのガイド凹部３３およびガイド凸部４１を、同一幅で、かつ、同一位置とした場合には、機能表示３８ａ〜３８ｅを設けているにも拘わらず、スイッチ釦３５ａ〜３５ｅを異なる取付孔３１ａ〜３１ｅに組み付ける可能性がある。
【００２９】
そこで、各取付孔３１ａ〜３１ｅおよびスイッチ釦３５ａ〜３５ｅは、ガイド凹部３３およびガイド凸部４１を２以上設け、それらの周方向の間隔（角度）を、機能表示３８ａ〜３８ｅに基づく取付方向を基準として、それぞれ異なるように設定している。ここで、機能表示３８ａ〜３８ｅに基づく取付方向とは、図１および図４（Ｂ）を参照すれば明らかなように、ユーザが使用する際に炊飯器１０の正面に立った状態で、文字からなる機能表示３８ａ〜３８ｅの文字が肩体１６の周方向に沿うように並べられ、違和感なく読み取れる状態を意味する。因みに、機能表示３８ａ〜３８ｅを文字の代わりに記号や絵などで表示することもあるが、これら記号および絵などの表示は、文字と同様に、全て上下左右の方向性があるため、その方向性を違えることなく、正規の位置とした状態を基準位置とする。
【００３０】
具体的には、取付孔３１ａ，３１ｂおよびスイッチ釦３５ａ，３５ｂには３つ、取付孔３１ｃ〜３１ｅおよびスイッチ釦３５ｃ〜３５ｅには２つ、ガイド凹部３３およびガイド凸部４１を形成している。そして、取付孔３１ａ，３１ｂおよびスイッチ釦３５ａ，３５ｂは、間隔ａ１，ａ２，ａ３とｂ１，ｂ２，ｂ３の少なくとも１つが異なるように設定されている。また、取付孔３１ｃ〜３１ｅおよびスイッチ釦３５ｃ〜３５ｅは、間隔ｃ１，ｃ２とｄ１，ｄ２とｅ１，ｅ２とが全て異なるように設定している。
【００３１】
前記スペーサセット４３は、前記スイッチ釦３５ａ〜３５ｅの背部に位置するように、肩体１６の内側より配設する樹脂製のものである。このスペーサセット４３は、図６および図７に示すように、下端開口の略蓋形状をなし、その内部をスイッチ基板配設部４４としている。このスペーサセット４３には、各スイッチ釦３５ａ〜３５ｅに対応する抜穴４５が設けられ、この抜穴４５の内部に弾性押圧部４６ａ〜４６ｅが一体成形されている。これら弾性押圧部４６ａ〜４６ｅは、抜穴４５の縁から略Ｕ字形状に湾曲された弾性部４７と、前記突出部４２により押圧される押圧部４８とを備えている。
【００３２】
前記スイッチ基板４９は、スペーサセット４３のスイッチ基板配設部４４に配置され、制御基板２４にリード線により電気的に接続されるものである。このスイッチ基板４９には、前記弾性押圧部４６ａ〜４６ｅに対応するスイッチ５０が実装され、ユーザがスイッチ釦３５ａ〜３５ｅを操作すると、押圧部４８を介して接点がオンされることにより、その操作を制御基板２４に送信する。
【００３３】
前記蓋体５１は、図２に示すように、炊飯器本体１２に対して背面側のヒンジ接続部１８で開閉可能に軸着され、炊飯器本体１２の上部を閉塞する平面視円形状のものである。この蓋体５１は、樹脂製の第１蓋部材５２と、該第１蓋部材５２の下側に配設される樹脂製の第２蓋部材５３と、前記第１蓋部材５２の上側表面に配設される装飾カバー５４とを備えている。この装飾カバー５４は、胴体１３と同様に鏡面仕上げを施した金属（ステンレス）製のものである。また、前記第２蓋部材５３の下部には、金属製の内蓋本体５５の外周部に炊飯鍋１１の開口縁をシールするシール部材５６を配設した内蓋５７が着脱可能に配設されている。なお、符号５８は、ロック爪部１９に係合するロック部５８ａを有する開放釦である。
【００３４】
前記構成の炊飯器１０を組み立てる場合には、例えば、肩体１６の取付孔３１ａ〜３１ｅに対して外側からスイッチ釦３５ａ〜３５ｅを配設する。この際、まず、ガイド凹部３３およびガイド凸部４１の数の違いにより、スイッチ釦３５ａ，３５ｂは取付孔３１ｃ〜３１ｅに取り付けることはできず、スイッチ釦３５ｃ〜３５ｅは取付孔３１ａ，３１ｂに取り付けることはできない。そして、スイッチ釦３５ａ，３５ｂは、間隔ａ１，ａ２，ａ３とｂ１，ｂ２，ｂ３の少なくとも１つの違いにより、スイッチ釦３５ａは取付孔３１ｂに取り付けることはできず、スイッチ釦３５ｂは取付孔３１ａに取り付けることはできない。同様に、スイッチ釦３５ｃ〜３５ｅは、間隔ｃ１，ｃ２とｄ１，ｄ２とｅ１，ｅ２の違いにより、スイッチ釦３５ｃは取付孔３１ｄ，３１ｅに取り付けることはできず、スイッチ釦３５ｄは取付孔３１ｃ，３１ｅに取り付けることはできず、スイッチ釦３５ｅは取付孔３１ｃ，３１ｄに取り付けることはできない。
【００３５】
そのため、機能表示３８ａ〜３８ｅが設けられているにも拘わらず、作業者が誤装着しようとした場合には、その状況を簡単に判断できるため、誤装着を確実に防止できる。また、スイッチ釦３５ａ〜３５ｅは、フランジ部３７の機能表示３８ａ〜３８ｅにより、その取付方向性を確認しながら行えるため、その作業性は非常によい。なお、このようにして肩体１６の操作パネル部３０にスイッチ釦３５ａ〜３５ｅを組み付けると、取付孔３１ａ〜３１ｅの縁に係止爪４０が係止することにより、これらスイッチ釦３５ａ〜３５ｅが脱落することはない。
【００３６】
操作パネル部３０にスイッチ釦３５ａ〜３５ｅを取り付けると、ついで、肩体１６の操作パネル部３０の背部に、スイッチ基板４９を配設したスペーサセット４３を配設した後、その表面にパネルカバー５９を配設し、ネジ止めにより固定する。但し、スペーサセット４３には、操作パネル部３０の取付孔３１ａ〜３１ｅとスイッチ釦３５ａ〜３５ｅとの隙間から浸水した水が、抜穴４５を通ってスイッチ基板４９に付着することを防止するために、表面に透明な防水シートを貼着する。
【００３７】
このように、本発明の取付構造では、誤装着を防止できる構造として、複数の取付孔３１ａ〜３１ｅに対してそれぞれ別体のスイッチ釦３５ａ〜３５ｅを取り付けるため、操作パネル部３０の背部での収容スペースを削減できる。
【００３８】
図８（Ａ），（Ｂ）は第２実施形態の取付孔３１ａ〜３１ｅおよびスイッチ釦３５ａ〜３５ｅを示す。この第２実施形態は、第１実施形態では各取付孔３１ａ〜３１ｅおよびスイッチ釦３５ａ〜３５ｅに２以上のガイド凹部３３およびガイド凸部４１を設けたのに対し、１つのみ設けるようにした点で大きく相違している。
【００３９】
具体的には、この第２実施形態では、第１実施形態と同様に、スイッチ釦３５ａ〜３５ｅの表面であるフランジ部３７に各機能表示３８ａ〜３８ｅが設けられ、その取付方向性が定まっているため、ガイド凹部およびガイド凸部４１をそれぞれ１つのみ、同一幅で設ける構成としている。そして、各取付孔３１ａ〜３１ｅおよびスイッチ釦３５ａ〜３５ｅのガイド凹部３３およびガイド凸部４１は、機能表示３８ａ〜３８ｅに基づく取付方向を基準として、それぞれ異なる位置になるように設けている。
【００４０】
この第２実施形態では、円形状をなすスイッチ釦３５ａ〜３５ｅを回転させれば、全ての取付孔３１ａ〜３１ｅに取り付けることは可能である。しかし、スイッチ釦３５ａ〜３５ｅを、対をなす取付孔３１ａ〜３１ｅ以外の異なる箇所に取り付けた場合には、機能表示３８ａ〜３８ｅが傾斜するため違和感を与える。そのため、作業者は取付位置が異なっていると判断できるため、誤装着を防止できる。
【００４１】
図９（Ａ），（Ｂ）は第３実施形態の取付孔３１ａ〜３１ｅおよびスイッチ釦３５ａ〜３５ｅを示す。この第３実施形態は、第２実施形態では各取付孔３１ａ〜３１ｅおよびスイッチ釦３５ａ〜３５ｅに同一幅のガイド凹部３３およびガイド凸部４１を１つのみ設けたのに対し、異なる幅で１つのみ設けるようにした点で大きく相違している。
【００４２】
具体的には、この第３実施形態では、第２実施形態と同様に、ガイド凹部３３およびガイド凸部４１をそれぞれ１つのみ、機能表示３８ａ〜３８ｅに基づく取付方向を基準として同一位置に設ける構成としている。そして、各取付孔３１ａ〜３１ｅおよびスイッチ釦３５ａ〜３５ｅのガイド凹部３３およびガイド凸部４１は、各幅ｈ１〜ｈ５（ｈ１＜ｈ２＜ｈ３＜ｈ４＜ｈ５）をそれぞれ異なるように設けている。
【００４３】
この第３実施形態では、幅が大きいガイド凸部４１を有するスイッチ釦３５ｂ〜３５ｅは、幅が小さいガイド凹部３３を有する取付孔３１ａ〜３１ｄには取り付けることができない。逆に、幅が小さいガイド凸部４１を有するスイッチ釦３５ａ〜３５ｄは、幅が大きいガイド凹部３３を有する取付孔３１ｂ〜３１ｅに取り付けることは可能である。しかし、スイッチ釦３５ａ〜３５ｄを、対をなす取付孔３１ａ〜３１ｄ以外の異なる箇所に取り付けた場合には、隙間によるガタが生じる。そのため、作業者は取付位置が異なっていると判断できるため、誤装着を防止できる。
【００４４】
なお、本発明の家庭用電気製品のスイッチ釦取付構造は、前記実施形態の構成に限定されるものではなく、種々の変更が可能である。
【００４５】
例えば、第１実施形態では、数と間隔（位置）を異なるように形成したが、いずれか一方のみが異なるようにしてもよい。また、第１実施形態の構成に、第３実施形態の幅を異ならせる構成を組み合わせてもよい。
【００４６】
さらに、第１および第３実施形態では、機能表示３８ａ〜３８ｅを基準とすることなく、誤装着を判断できるため、機能表示３８ａ〜３８ｅをスイッチ釦３５ａ〜３５ｅに設けることなく、他のメニューシートに機能表示３８ａ〜３８ｅを設ける構成でも適用できる。そして、これら第１および第３実施形態の構成は、操作パネル部３０の湾曲形状によりスイッチ基板４９のスイッチ５０までの距離が異なる場合に、各スイッチ釦３５ａ〜３５ｅで筒部３６の全長を異ならせ、かつ、機能表示３８ａ〜３８ｅを設けない場合にも有効である。
【００４７】
さらにまた、前記実施形態では、取付孔３１ａ〜３１ｅにガイド凹部３３を設け、スイッチ釦３５ａ〜３５ｅにガイド凸部４１を設けたが、取付孔３１ａ〜３１ｅにガイド凸部４１を設け、スイッチ釦３５ａ〜３５ｅにガイド凹部３３を設けてもよい。
【００４８】
また、前記実施形態では、取付孔３１ａ〜３１ｅおよびスイッチ釦３５ａ〜３５ｅの筒部３６を円形状に形成したが、矩形状などの非円形状であってもよく、この場合でも、前記と同様に、ガイド凹部３３およびガイド凸部４１の形成位置、数および幅などを異なるように形成することにより、同様の作用および効果を得ることができる。
【００４９】
そして、前記実施形態では、本発明のスイッチ釦取付構造を適用する家庭用電気製品として炊飯器１０を適用したが、外装体の操作パネル部３０に配設したスイッチ釦の操作により所定の動作を実行させる家庭用電気製品であれば、いずれでも適用可能であり、同様の作用および効果を得ることができる。
【図面の簡単な説明】
【００５０】
【図１】本発明の実施形態の基板ホルダーを備えた電気調理器である炊飯器を示す斜視図である。
【図２】図１の中央縦断面図である。
【図３】図１のスイッチ釦を外した状態を示す斜視図である。
【図４】（Ａ）は全ての取付孔を示す平面図、（Ｂ）は各取付孔に取り付けるスイッチ釦の平面図、（Ｃ）は各スイッチ釦の底面図である。
【図５】スイッチ釦の斜視図である。
【図６】スペーサセットを示す斜視図である。
【図７】スペーサセットとスイッチ基板とを示す断面斜視図である。
【図８】第２実施形態の取付構造を示し、（Ａ）は全取付孔の平面図、（Ｂ）は全スイッチ釦の底面図である。
【図９】第３実施形態の取付構造を示し、（Ａ）は全取付孔の平面図、（Ｂ）は全スイッチ釦の底面図である。
【符号の説明】
【００５１】
１０…炊飯器（家庭用電気製品）
１２…炊飯器本体
１３…胴体（外装体）
１６…肩体（外装体）
２０…底体（外装体）
３０…操作パネル部
３１ａ〜３１ｅ…取付孔
３３…ガイド凹部
３５ａ〜３５ｅ…スイッチ釦
３７…フランジ部
３８ａ〜３８ｅ…機能表示
４０…係止爪
４１…ガイド凸部
４３…スペーサセット
４９…スイッチ基板
５０…スイッチ
５１…蓋体
【図１】
2007317396.tif 000003
【図２】
2007317396.tif 000004
【図３】
2007317396.tif 000005
【図４】
2007317396.tif 000006
【図５】
2007317396.tif 000007
【図６】
2007317396.tif 000008
【図７】
2007317396.tif 000009
【図８】
2007317396.tif 000010
【図９】
2007317396.tif 000011